(57)【要約】【課題】吸込エア量の増大を図るとき、エア吸込みの抵抗部が生じないようにする。【解決手段】最も下部に取り付けられる化粧パネル７の吸込口７１の上面に吸込グリル１０を装着し、該吸込グリルの上面にエアフィルタ９を装着した天井埋込型空気調和機において、吸込グリル１０の枠部１０３の４辺の内の対向する２辺にリブ１０６を形成し、該リブ１０６にエアフィルタ９の枠部９３の内側に形成したリブ９４を係合する。また、吸込グリル１０の枠部１０３の内縁全周の下面角部に、なめらかなエアガイドＲ部１１０を形成する。【選択図】図３
2008075897.tif 000002
【特許請求の範囲】
【請求項１】
本体の下部に取り付けられる化粧パネルの吸込口の上面に吸込グリルを装着し、該吸込グリルの上面にエアフィルタを装着した天井埋込型空気調和機において、
前記エアフィルタの開口部を区画する枠部の内側を、前記吸込グリルの吸込口を区画する枠部の外側に取り付けたことを特徴とする天井埋込型空気調和機。
【請求項２】
請求項１に記載の天井埋込型空気調和機において、
前記吸込グリルの前記枠部の４辺の内の対向する２辺にリブを形成し、該各リブに前記エアフィルタの前記枠部に形成したリブの内側を係合したことを特徴とする天井埋込型空気調和機。
【請求項３】
請求項１又は２に記載の天井埋込型空気調和機において、
前記吸込グリルの前記枠部の内縁全周の下面角部に、なめらかなエアガイドＲ部を形成したことを特徴とする天井埋込型空気調和機。
【請求項４】
請求項２又は３に記載の天井埋込型空気調和機において、
前記エアフィルタのフィルタシートを波形とし、前記エアフィルタの前記枠部の前記リブの内の前記波形の稜線に平行な２辺を、前記吸込グリルの前記２辺のリブに係合したことを特徴とする天井埋込型空気調和機。
【発明の詳細な説明】
【技術分野】
【０００１】
本発明は、エアフィルタの取付構造について改良を図った天井埋込型空気調和機に関するものである。
【背景技術】
【０００２】
天井埋込型空気調和機は、図８に示すように、天井面に埋め込まれる本体ケース２０１に軸支部２０２により化粧パネル２０３の片側を回動自在に軸支して、本体ケース２０１側のマグネット２０４に対してマグネット受け２０５を吸着させることにより、化粧パネル２０３が本体ケース２０１の下面を閉じるように構成されている。この化粧パネル２０３の中央には、吸込口を備える吸込グリル（図示せず）が配置され、この吸込グリルに設けられたガイドレール（図示せず）に沿ってエアフィルタ２０６をスライドさせて装着させることにより、吸込グリルの吸込口がエアフィルタ２０６で覆われるようになっている。２０７は吸い込まれたエアをファン（図示せず）にガイドするためのベルマウスであり、吸込グリルの吸込口に対応した大きさの開口部をもち、本体ケース２０１側に取り付けられている。２０８は吹出口であり、吸込みグリルの吸込口から吸い込まれ、エアフィルタ２０６でフィルタリングされ、熱交換機（図示せず）により冷却あるいは加温されたエアを吹き出す。以上のような天井埋込型空気調和機は、特許文献１に記載がある。
【０００３】
このような天井埋込型空気調和機では、エアフィルタ２０３は、その外形が吸込グリルよりも小さく形成されている。すなわち、吸込グリルの吸込口の内側にエアフィルタ２０６が配置される構造となっている。
【特許文献１】特開２００１−２０１０８８号公報
【発明の開示】
【発明が解決しようとする課題】
【０００４】
ところが、吸込のエア量の増大を図るために、ベルマウス２０７の下面側の開口面積を大きくし、特に４隅の部分でもエア吸込みが効果的に行われるようにすると、エアフィルタ２０６の枠部分（図示せず）がエア吸込みの抵抗となり、吸込みエア量増大を達成できない。
【０００５】
本発明の目的は、エアフィルタの吸込グリルに対する取付構造に改良を加えて、ベルマウスの開口面積を大きくして吸込のエア量の増大を図るとき、エア吸込みの抵抗部が生じないようにした天井埋込型空気調和機を提供することである。
【課題を解決するための手段】
【０００６】
上記目的を達成するために、請求項１にかかる発明の天井埋込型空気調和機は、本体の下部に取り付けられる化粧パネルの吸込口の上面に吸込グリルを装着し、該吸込グリルの上面にエアフィルタを装着した天井埋込型空気調和機において、前記エアフィルタの開口部を区画する枠部の内側を、前記吸込グリルの吸込口を区画する枠部の外側に取り付けたことを特徴とする。
請求項２にかかる発明は、請求項１に記載の天井埋込型空気調和機において、前記吸込グリルの前記枠部の４辺の内の対向する２辺にリブを形成し、該各リブに前記エアフィルタの前記枠部に形成したリブの内側を係合したことを特徴とする。
請求項３にかかる発明は、請求項１又は２に記載の天井埋込型空気調和機において、前記吸込グリルの前記枠部の内縁全周の下面角部に、なめらかなエアガイドＲ部を形成したことを特徴とする。
請求項４にかかる発明は、請求項２又は３に記載の天井埋込型空気調和機において、前記エアフィルタのフィルタシートを波形とし、前記エアフィルタの前記枠部の前記リブの内の前記波形の稜線に平行な２辺を、前記吸込グリルの前記２辺のリブに係合したことを特徴とする。
【発明の効果】
【０００７】
本発明によれば、エアフィルタの開口部を区画する枠部の内側が、吸込グリルの吸込口を区画する枠部の外側に取り付られるので、エアフィルタの枠部がエア吸込みの抵抗となることはない。また、吸込グリルの枠部の内縁全周の下面角部に、なめらかなエアガイドＲ部を形成したので、エア吸い込みがなめらかになり、この部分でも抵抗が減少する。
【発明を実施するための最良の形態】
【０００８】
以下、本発明の天井埋込型空気調和機の実施例を説明する。図１はその天井埋込型空気調和機の概略断面図、図２は概略分解斜視図である。図１および図２において、１は天井に取り付けられる外ケース、２はその外ケース１の内側に取り付けられる内ケースである。内ケース２には、モータ３、熱交換器４、熱交換器４から生じる水分を排出するドレンパン５、ベルマウス６、化粧パネル７等が取り付けられる。８はファンであり、モータ３の回転軸に取り付けられている。なお、このファン８は図１では２段構成であるが、図２では１個だけを示している。化粧パネル７は、その１つの側端が内ケース２に対して軸支部（図示せず）によって支持され、下方向に回動開閉自在となっているが、閉じた状態はマグネットその他の適宜係止手段（図示せず）で保持可能となっている。
【０００９】
この化粧パネル７には、中央の吸込口７１と周囲の吹出口７２が設けられ、吸込口７１には格子が形成され、その内側（上面）には、図３に示すように、エアフィルタ９を組み込んだ吸込グリル１０が装着される。
【００１０】
図４は吸込グリル１０を示す図であり、(a)は平面図、(b)は上面図、(c)は平面図(a)のｃ−ｃ線に沿った断面図である。この吸込グリル１０は、格子１０１で覆われた吸込口１０２と、その吸込口１０２を区画するようにその全周を囲む枠部１０３とからなる。そして、枠部１０３には、化粧パネル７への２個の係止軸部１０４と、同係止パネル７への２個の係止弾性爪１０５が形成されている。また、その枠部１０３の吸込口１０２側には、格子１０１の図４において左右の側に各１個のリブ１０６が形成され、上下の側に各２個のエアフィルタ９用のストッパ１０７と各２個のエアフィルタ９用のガイド柱１０８が形成されている。そして、各リブ１０６の外側には各々２個の係止爪１０９がさらに形成されている。また、枠部１０３の内縁全周の下面角部に、(c)に示すように、丸みを帯びたなめらかなエアガイドＲ部１１０が形成されている。なお、格子１０１の図４において上下の側にはリブは形成されていない。図５にこの吸込グリル１０の下面斜視図を示す。
【００１１】
図６はエアフィルタ９を示す図であり、(a)は平面図、(b)は底面図である。このエアフィルタ９は、波形フィルタシート９１が装着される開口部９２と、その開口部９２の全周を囲む枠部９３とを備え、枠部９３の開口部９２を区画する４辺にリブ９４が形成されている。そして、波形フィルタシート９１の稜線と平行な、互いに対向する２辺のリブに係止穴９５が形成されている。枠部９３の内の波形の稜線と平行な辺のリブに係止穴９５を形成した理由は、波形の稜線と直交する辺のリブにはフィルタシート９１の波形を受けるガイド部を形成する必要があるからである。図７にこのエアフィルタ９の上面斜視図を示す。
【００１２】
さて、図４および図５に示すように構成される吸込グリル１０に対して、図６および図７に示すように構成されるエアフィルタ９を装着すると、図３に示すように組み立てられる。すなわち、吸込グリル１０の各リブ１０６の各係止爪１０９に対して、エアフィルタ９の２辺のリブ９４の各係止穴９５を合わせると、図３の拡大断面に示すように両者が係合し、エアフィルタ９の枠部９３のリブ９４が吸込グリル１０の吸込口１０２のリブ１０６の外側に位置するように組み立てられる。このとき、エアフィルタ９の枠部９３のリブ９４の下面は吸込グリル１０のストッパ１０７に当接し、且つガイド柱１０８によって図４(a)において上下方向への移動が規制される。
【００１３】
以上のようにして、吸込グリル１０およびエアフィルタ９が組み立てられた組立体を化粧パネル７の内側に装着したとき、図３の拡大断面に示したように、エアフィルタ９の枠部９３のリブ９４が吸込グリル１０の吸込口１０２のリブ１０６の外側に位置するので、ベルマウス６の下面開口部を風量増大のために拡大し、これに合わせて吸込グリル１０の開口部１０２を大きくしても、エアフィルタ９の枠部９３がエア吸込みの抵抗とはならない。また、吸込グリル１０の枠部１０３の内縁には、エアガイドＲ部１１０を形成しているので、エア吸込がなめらかになり、この部分でも抵抗が減少する。
【図面の簡単な説明】
【００１４】
【図１】本発明の実施例の天井埋込型空気調和機の概略断面図である。
【図２】本発明の実施例の概略分解斜視図である
【図３】本発明の実施例の吸込グリルとエアフィルタの組立体の上面斜視図である。
【図４】本発明の実施例の吸込グリルを示す図で、(a)は平面図、(b)は上面図、(c)は(a)のｃ−ｃ線断面図である。
【図５】本発明の実施例の吸込グリルの下面斜視図である。
【図６】本発明の実施例のエアフィルタを示す図で、(a)の平面図、(b)は底面図である。
【図７】本発明の実施例のエアフィルタの上面斜視図である。
【図８】従来の天井埋込型空気調和機の説明図である。
【符号の説明】
【００１５】
１：外ケース
２：内ケース
３：モータ
４：熱交換器
５：ドレンパン
６：ベルマウス
７：化粧パネル
８：ファン
９：エアフィルタ、９１：波形フィルタシート、９２：開口部、９３：枠部、９４：リグ、９５：係止穴
１０：吸込グリル：１０１：格子、１０２：吸込口、１０３：枠部、１０４：係止軸部、１０５：係止弾性爪、１０６：リブ、１０７：ストッパ、１０８：ガイド柱、１０９：係止爪、１１０：エアガイドＲ部
【図１】
2008075897.tif 000003
【図２】
2008075897.tif 000004
【図３】
2008075897.tif 000005
【図４】
2008075897.tif 000006
【図５】
2008075897.tif 000007
【図６】
2008075897.tif 000008
【図７】
2008075897.tif 000009
【図８】
2008075897.tif 000010